(57)【要約】      （修正有）【課題】雨水等の貯留または流出制御を目的とし、所要の空間内に構築して、貯留雨水等の安定化を図るための新規な貯留空間形成用構築材を提供する。【解決手段】平面矩形状を呈する基枠部材１を、前後、左右、高さ方向に所定間隔を保って連結することによって、内部に貯留空間が確保された構築物が完成化されるようにした雨水等の貯留空間形成用構築材であって、縦方向に並べられる基枠部材１を、下位にゆくにつれてその間隔を狭くし、これにより、水圧の高まりに比例した揺れ動きの強さの増大化に対応可能とする強度増加を付与するように構成した雨水等の貯留空間形成用構築材。【選択図】図１
2016151135.tif 000002
【特許請求の範囲】
【請求項１】
平面矩形状を呈する基枠部材１を、前後、左右、高さ方向に所定間隔を保って連結することによって、内部に貯留空間が確保された構築物が完成化されるようにした雨水等の貯留空間形成用構築材であって、縦方向に並べられる基枠部材１を、下位にゆくにつれてその間隔を狭くし、これにより、水圧の高まりに比例した揺れ動きの強さの増大化に対応可能とする強度増加を付与するように構成した雨水等の貯留空間形成用構築材。
【請求項２】
縦方向に並べられる基枠部材１の間隔を、下位にゆくにつれて次第に狭くする手段として、基枠部材１の四隅の上下面に同軸状の嵌合孔を夫々開設し、当該嵌合孔に差込んで基枠部材を縦方向に列設するように連結するための棒状スペーサー部材を順次長さが増すものを取り揃え、最短のものを最下位に位置させると共に次第にその長さを増したものを用いるように構成した請求項１に記載の雨水等の貯留空間形成用構築材。
【発明の詳細な説明】
【技術分野】
【０００１】
本発明は、雨水等の貯留または流出制御を目的とし、所要の空間内に構築して、貯留雨水等の安定化を図るための貯留空間形成用構築材に関する。
【背景技術】
【０００２】
雨水等の流出制御を目的として、プラスチックなどで製造された単位部材を地下に配列充填しその周囲に適宜のシートで覆った雨水貯留施設が普及している。この目的のために各種の異なる形状の単位部材が提案されている（例えば特許文献１乃至７参照。）。
これ以外として、柱部材に対して等間隔に盤体部を等間隔となるように取り付けると共に、これに梁材を連結することによって、貯留空間内を連続矩形枠の構築体で強化安定化を図るように構成したものがある（例えば、特許文献８参照。）。  そして、上記した他の引用文献のものも、上下方向においては何れも等間隔に仕切られるものである。
【先行技術文献】
【特許文献】
【０００３】
【特許文献１】特開昭６２−１０１０９７号公報
【特許文献２】特開昭６２−１２６１７９号公報
【特許文献３】特開平０９−２９６４８６号公報
【特許文献４】特開平１０−２５２１０８号公報
【特許文献５】特開平１０−１１５７７８号公報
【特許文献６】特開平１１−０４３９７１号公報
【特許文献７】特開平１１−１２２２８８６公報
【特許文献８】特開２０１２−９２５５２号公報
【発明の概要】
【発明が解決しようとする課題】
【０００４】
貯留空間内に蓄えられた雨水等は、その底に近づくにつれ（水深が深まるにつれ）、水圧が強く働き、柱部分に強い圧力として（揺れ動かし力として）作用する。  従って、下に行くにしたがって、盤体部の間隔を狭めるような対応を採ることが望ましいが、これを実行するには各種高さの盤体部を取り揃えなければならないため、著しく費用が掛かってしまうばかりでなく、そのサイズごとの管理、及びその現場への取り揃えと言う煩雑性が必然伴うものである。
【０００５】
本発明は、上記したような従来の問題を解消した新規の「雨水等の貯留空間形成用構築材」の提供を図ったものである。
【課題を解決するための手段】
【０００６】
本発明は請求項１に記載のように、平面矩形状を呈する基枠部材１を、前後、左右、高さ方向に所定間隔を保って連結することによって、内部に貯留空間が確保された構築物が完成化されるようにした雨水等の貯留空間形成用構築材であって、縦方向に並べられる基枠部材１を、下位にゆくにつれてその間隔を狭くし、これにより、水圧の高まりに比例した揺れ動きの強さの増大化に対応可能とする強度増加を付与するように構成した雨水等の貯留空間形成用構築材に係る
【０００７】
本発明は請求項２に記載のように、縦方向に並べられる基枠部材１の間隔を、下位にゆくにつれて次第に狭くする手段として、基枠部材１の四隅の上下面に同軸状の嵌合孔を夫々開設し、当該嵌合孔に差込んで基枠部材を縦方向に列設するように連結するための棒状スペーサー部材を順次長さが増すものを取り揃え、最短のものを最下位に位置させると共に次第にその長さを増したものを用いるように構成した請求項１に記載の雨水等の貯留空間形成用構築材を実施の態様とする。
【発明の効果】
【０００８】
本発明は請求項１に記載のような構成の採用に基づき、すなわち、縦方向に並べられる基枠部材１を、下位にゆくにつれてその間隔を狭くし、これにより、水圧の高まりに比例した揺れ動きの強さの増大化に対応可能とする強度増加を付与するように構成したから、
貯留空間内に設置することにより、その深水水圧による悪影響発生を回避させる。
【０００９】
何故ならば、深水水圧に基づく水の流れは強い圧力となり、構築物を歪ませるような力として働くこととなるが、本発明にあってはこれに対応するように、基枠部材１の間隔を密化することにより、強度増強を図るようにしたから、このような問題発生を未然に回避することとなる。
【００１０】
本発明は、請求項２に記載のように、基枠部材を縦方向に列設するように連結するための棒状スペーサー部材を順次長さが増すものを取り揃え、最短のものを最下位に位置させると共に次第にその長さを増したものを用いるように構成したから、請求項１に記載の技術の実行が極めて合理的に達成される。  すなわち、「縦方向に並べられる基枠部材１を、下位にゆくにつれてその間隔を狭く」する手段として、例えば柱体に対する固定位置の調節に依存した場合、その調節作業には高さ計測等を含めて極めて煩雑にして困難性を伴うものとされる。
【００１１】
これに対して本発明は棒状スペーサー部材を用い、かつ当該棒状スペーサー部材の長さをあらかじめ設定したものを取り揃えるように構成したから、これの機械的選択に基づき、基枠部材の設定間隔を機械的に得ることが可能化され、その作業の著しい容易性が図られる。
【図面の簡単な説明】
【００１２】
【図１】本発明の要部を示す縦断面図である。
【図２】同上平面図である。
【図３】本発明における基枠部材を表した斜視図である。
【図４】本発明におけるスペーサー部材を表した説明用斜視図である。
【図５】柱部材による支持形態の第２の実施例を表した説明用平面図である。
【図６】柱部材による支持形態の第３の実施例を表した説明用平面図である。
【図７】柱部材による支持形態の第３の実施例を表した説明用平面図である。
【発明を実施するための形態】
【００１３】
図において、１は平面正方形または長方形のような矩形状を呈する基枠部材であって、その四辺の各隅角部寄りには柱部材挿通用孔１aが開設されている。  ２は当該各挿通用孔１aに対してそれぞれ挿通させた柱部材であって、当該柱部材２は貯留空間の全体高さを司る縦柱として機能するものであり、所要数の基枠部材１が所定間隔を保って連なるように取り付ける。
なお、柱部材の本数は、図２に示すように八本用いる以外、図５に示すように一本、図６に示すように二本、図７に示すように四本の柱部材を用いるようにして実施する場合もある。
【００１４】
更に、上記した基枠部材１はその四隅において、下記する形態を具えた棒状スペーサー部材Ｎを介在せて縦方向に並べられるように構成してある。  １bは当該四隅の上面に開設した上面側嵌合孔、１cはその真下に同軸的に開設した下面側嵌合孔であって、それぞれスペーサー部材Ｎの端部を嵌合させるように構成してある。
【００１５】
上記棒状スペーサー部材Ｎは、上述した基枠部材１を縦方向に列設するように連結するためのものである。  そして、当該スペーサー部材Ｎは、図４に示すようにＮ1からＮｎまで順次長さが増すものを取り揃えたものとし、縦方向に並べられる基枠部材の下位にゆくにつれて、その間隔が狭くなるような調整を施すことができるような連結手段を採るものである(図１参照。)。
【００１６】
すなわち、本発明の骨子的構成は、縦方向に並べられる基枠部材１を、下位にゆくにつれてその間隔を狭くし、これにより、水圧の高まりに比例した揺れ動きの強さの増大化に対応可能とするような強度増加を付与するように構成したことにある。  上記した「スペーサー部材Ｎは、図４に示すようにＮ１からＮｎまで順次長さが増すものを取り揃えたものとし」なる構成は、このような骨子的構成の具体的手段の一つに属するものである。
【００１７】
図１に示すように縦方向に連結した柱状の構築体を前後左右に並べた状態で結合させることによって、貯留空間を形成するための立体格子状の構築物を構成する(図２参照。)。  ３は横方向連結用梁部材、４は奥方向連結用梁部材であって、これにより、各基枠部材１は前後、左右、高さ方向に所定間隔を保って連結され、これにより、内部に貯留空間が確保された構築物が完成化されるように構成してある。
【００１８】
１dは横方向の連結用梁部材３に対する掛け止め用鈎部、１eは奥方向連結用梁部材４に対する掛け止め３３用鈎部であって、両者は互いに掛け止める梁部材が同一平面と成らないように縦方向にずらせて形成してある。
【００１９】
上記のように構築された構築物を貯留空間内に設置することにより、内部に水を包含した状態で空間に対する補強目的が達成される。  そして、空間の下方に行くに従って、水圧が高まり、その流動圧力が強く働くこととなる。  そのため、本発明にあってはこれに対応するように、基枠部材１の間隔を密化することにより、強度増強を図るようにしたものである。
【００２０】
基枠部材１の間隔を密化する手段は、図示のように「スペーサー部材Ｎは、図４に示すようにＮ１からＮｎまで順次長さが増すものを取り揃えたものとし」なる構成に限定さるものではなく、同一の目的が達成されるものであれば、如何なる形態のものであっても採用可能とする。
【符号の説明】
【００２１】
１    基枠部材
１a   柱部材挿通用孔
１b   上面側嵌合孔
１c   下面側嵌合孔
１d   掛け止め用鈎部
１e   掛け止め用鈎部
２    柱部材
Ｎ    棒状スペーサー部材
３    横方向連結用梁部材
４    奥方向連結用梁部材
【図２】
2016151135.tif 000003
【図７】
2016151135.tif 000004
【図１】
2016151135.tif 000005
【図３】
2016151135.tif 000006
【図４】
2016151135.tif 000007
【図５】
2016151135.tif 000008
【図６】
2016151135.tif 000009